(57)【要約】【課題】黒板やホワイトボードの板面の背面側の空間を物品の収納空間として利用できるようにした筆写装置を提供する。【解決手段】筆記ボード装置４は、筆記ボード部４０内部にスライド可能に設けられた収納部４２０が動いて収納部が露出するように設けられており、正面側に筆記面４１１を有する筆記ボード体４１０と、筺状の外枠体４１２を備える筆記ボード部４０と、正面側が開口し上下左右が閉じられた筺体に形成され、該開口部内の空間（収納空間４２１）に物品を収納可能に設けた収納部４２０を備える。収納部４２０は、外枠体４１２内に納まるように外枠体４１２よりも上下左右に小さく厚みが薄い寸法に形成され、外枠体４１２の出入口４１３を通じて出し入れ可能に形成されている。外枠体４１２は、正面側が開口し、該開口部に筆記ボード体４１０が取着され、その背部が室内の壁面に取り付けられている。【選択図】図７
2013049241.tif 000002
【特許請求の範囲】
【請求項１】
繰り返し使用できる筆写用の板の背面側空間を物品の収納空間として利用できるようにした筆写装置であって、
前記筆写装置は、直立型であるか又は壁面に設けるものであり、
枠体で囲まれた内部に物品を収納する空間と、前面側に前記空間に物品を搬入又は搬出する開口部と、を有する収納部と、
該収納部の前面側に、前記開口部を閉じるように配置されており、正面に筆写面を有する可動筆写部と、
を備え、
前記可動筆写部は、前記開口部を閉じる配置位置から離れることを可能とする要素によって前記収納部に取着されており、
前記空間に物品を搬入又は搬出する際には、前記可動筆写部が前記収納部の前記開口部を閉じる位置から離れ、前記開口部を開く位置まで移動できるようにしたことを特徴とする、
筆写装置。
【請求項２】
繰り返し使用できる筆写用の板の背面側空間を物品の収納空間として利用できるようにした筆写装置であって、
前記筆写装置は、直立型であるか又は壁面に設けるものであり、
枠体で囲まれた内部に物品を収納する空間と、前面側に前記空間に物品を搬入又は搬出する開口部と、を有する収納部と、
該収納部の前面側に、前記開口部を閉じるように配置された可動筆写部と、
を備え、
前記可動筆写部は、正面に筆写面を有する板体と、該板体の背面に備えられている枠組みと、を備え、
前記可動筆写部は、前記開口部を閉じる配置位置から離れることを可能とする、二つの要素の組合わせ含む掛止要素によって、前記収納部に取着されており、
前記可動筆写部の枠組みは、前記掛止要素の一方の要素を備え、
前記収納部は、前記掛止要素の他方の要素を備え、
前記収納部側の要素と前記可動筆写部側の要素が協働して前記収納部に前記可動筆写部を取着するようにし、
前記空間に物品を搬入又は搬出する際には、前記可動筆写部が前記収納部の前記開口部を閉じる位置から離れ、前記開口部を開く位置まで移動できるようにしたことを特徴とする、
筆写装置。
【請求項３】
繰り返し使用できる筆写用の板の背面側空間を物品の収納空間として利用できるようにした筆写装置であって、
前記筆写装置は、直立型であるか又は壁面に設けるものであり、
枠体で囲まれた内部に物品を収納する空間と、前面側に前記空間に物品を搬入又は搬出する開口部と、を有する収納部と、
該収納部の前面側に、前記開口部を閉じるように配置された可動筆写部と、
を備え、
前記可動筆写部は、正面に筆写面を有する板体と、該板体の背面に備えられている枠組みと、を備え、該枠組みは枢軸によって収納部に取り付けられ、前記可動筆写部が前記枢軸を中心に回動できるものであり、
前記空間に物品を搬入又は搬出する際には、前記可動筆写部が前記収納部の前記開口部を閉じる位置から離れ、前記開口部を開く位置まで移動できるようにしたことを特徴とする、
筆写装置。
【請求項４】
可動筆写部が枢軸を中心に上下に回動するにあたり、前記可動筆写部が開口部を閉じる配置位置から離れた状態に保持することを可能とする一又は二以上保持要素を備え、
前記保持要素は、ダンパー、ガススプリング、折り曲げ可能なステー、つっかい棒の中から選択され、
選択された前記保持要素が、ダンパー、ガススプリング又は折り曲げ可能なステーである場合は、前記保持要素の一方は可動筆写部の背面の枠組みに取り付けられ、前記保持要素の他方は前記収納部に取り付けられ、
選択された前記保持要素がつっかい棒である場合は、その一方側は自由端となっており、他方側が可動筆写部の枠組み又は収納部のいずれかに可動可能に取り付けられることを特徴とする、
請求項３記載の筆写装置。
【請求項５】
繰り返し使用できる筆写用の板の背面側空間を物品の収納空間として利用できるようにした筆写装置であって、
前記筆写装置は、直立型であるか又は壁面に設けるものであり、
枠体で囲まれた内部に物品を収納する空間と、前面側に前記空間に物品を搬入又は搬出する開口部と、を有する収納部と、
該収納部の前面側に、前記開口部を閉じるように配置された可動筆写部と、
を備え、
前記可動筆写部は、正面に筆写面を有する板体と、該板体の背面に備えられている枠組みと、を備え、前記開口部を閉じる配置位置から離れることを可能とするスライド要素によって前記収納部に取着されており、
前記スライド要素は、前記収納部に対して前記可動筆写部を上下又は左右に移動可能にするものであって、前記スライド要素の一方は前記枠組みに取り付けてあり、前記スライド要素の他方は前記収納部に取り付けてあり、
前記空間に物品を搬入又は搬出する際には、前記可動筆写部が前記収納部の前記開口部を閉じる位置から離れ、前記開口部を開く位置まで移動できるようにしたことを特徴とする、
筆写装置。
【請求項６】
繰り返し使用できる筆写用の板の背面側空間を物品の収納空間として利用できるようにした筆写装置であって、
前記筆写装置は、直立型であるか又は壁面に設けるものであり、
枠体又は筺体で囲まれた内部の空間と、前記枠体又は筺体の上面、底面、左右側面のいずれかに設けられており、前記空間に物品を収納する引出要素を装備するための開口部と、を有する収納部と、
前記開口部に装備される引出要素と、
前記収納部の前面側に取り付けられ、正面に筆写面を有する筆写部と、
を備えている、
筆写装置。
【請求項７】
請求項１乃至６記載のいずれかの筆写装置は、収納部に設けられた物品を搬入又は搬出する開口部を閉じた状態に保つべく、開閉動作を制限する施錠装置が設けられていることを特徴する、
筆写装置。
【請求項８】
繰り返し使用できる筆写用の板の背面側空間を物品の収納空間として利用できるようにした請求項１乃至６のいずれか１項に記載された筆写装置の収納部の構造であって、
前記収納部の構造は、構造の異なる第１のパーツ要素と第２のパーツ要素の２種類の中から２つのパーツ要素を選択して組み合わせるものであり、
前記第１のパーツ要素は、枠体又は筺体であって、該枠体又は筺体の内部が中空に構成され、
前記第２のパーツ要素は、枠体又は筺体により形成された枠部材と、該枠部材の側壁に形成された開口部と、前記枠部材内に設けられた引出要素と、を有し、該引出要素は収納する物品の搬入又は搬出の際に前記開口部から枠部材外へ出し入れ可能に構成され、
前記パーツ要素の組み合わせの態様は、第１のパーツ要素と第１のパーツ要素の組み合わせ、第１のパーツ要素と第２のパーツ要素の組み合わせ、又は、第２のパーツ要素と第２のパーツ要素の組み合わせ、のいずれかであることを特徴とする、
筆写装置の収納部の構造。
【請求項９】
請求項８記載の収納部の構造を備えた筆写装置の施工方法であって、
筆写装置を設置する壁面へ収納部を据え付けるにあたって、第１のパーツ要素と第１のパーツ要素の組み合わせ、第１のパーツ要素と第２のパーツ要素の組み合わせ、又は、第２のパーツ要素と第２のパーツ要素の組み合わせ、のいずれかを選択し、
選択されたパーツ要素を組み合わせてなる収納部を壁面に据え付け、
据え付けられた収納部へ可動筆写部又は筆写部を取り付けることにより、請求項１乃至６のいずれかの筆写装置を設置できることを特徴とする、
筆写装置の施工方法。
【発明の詳細な説明】
【技術分野】
【０００１】
本発明は、筆写装置に係り、更に詳しくは、黒板やホワイトボード等の背面側空間を、物品の収納空間として利用できるようにした、筆写装置に関する。
更に、本発明は、前記筆写装置の収納部の構造、該収納部の構造を用いた筆写装置の施工方法に関する。
【背景技術】
【０００２】
例えば、小学校や中学校における教室での授業に、黒板やホワイトボード（以下、これらをまとめて「筆写部」又は「筆記ボード」ということがある。）が使用されている。
筆記ボードの使用に当たっては、筆記用具としてチョークやマーカーペン、及び消去用具として黒板拭きやイレーザー類（以下、これらをまとめて「筆記用具等」ということがある。）が使用される。
【０００３】
筆記用具等は、使用しないときは教室や会議室にそのまま置かれることが多い。その場合は、筆記ボード下方に設けられた受け皿（粉受け）の上に置かれたり、筆記ボードに設けられた引き出しに収納されたりする。
【０００４】
筆記用具等を収納する器具又は装置としては、例えば、後記特許文献１に示すような筆記用具の収納装置が提案されている。
【先行技術文献】
【特許文献】
【０００５】
【特許文献１】特開２０００−１５８８９１号
【０００６】
特許文献１記載の筆記用具の収納装置は、黒板類のボード本体を覆うことなく、肩や肘に当たって歪められる虞れの無いように、筆記用具や消去用具を一時的に収納しておくものであって、粉受の端部を切り欠いた形に、その長さ寸法を切り詰めてボード本体の幅寸法よりも短くし、切り欠かれた部分に位置せしめて、上向きに開口するボックス状のポケットを固定的に設置するものである。
【発明の開示】
【発明が解決しようとする課題】
【０００７】
授業の内容によっては、三角定規やＴ型定規などの大型の文房具類が使用されることがある。しかし、特許文献１記載の筆記用具の収納装置は、その構造上、大型の文房具類を収納できないという課題がある。
【０００８】
ところで、小学校や中学校の校舎における教室の配置や教室内部の一般的な構造として、教室の前方側の壁面に黒板が設置され、後方側の壁面は、下側に生徒達の学習用品収納棚が設置され、上側は学習結果を貼り付ける貼付面となっている。
教室の両側は全面がガラス窓となっており、一方のガラス窓の外側には廊下が配置され、他方のガラス窓の外側は、運動場や中庭側に面する構造である。
【０００９】
つまり、前記の様な教室構造の場合は、教室内には、授業に使用する三角定規やＴ型定規などの大型の文房具類を収納する箇所はなく、大型の文房具類は、職員室やその他の収納可能な場所に収納しておき、授業の度に教師が持ち出したり、持ち帰ったりする必要があり、面倒である。
【００１０】
本発明者は、小学校や中学校に納める黒板の事業を永年行っており、近年の黒板が、窓側からの採光による文字の見えにくさを防ぐため、筆記面が凹曲面を有する曲面黒板であり、その曲面形状を形成するため板面の背面側に、所要の奥行きを有する取り付け枠を有することに着目し、取り付け枠で囲まれる空間を利用して大型の文房具類を収納する研究を重ね、本発明を完成するに至った。
【００１１】
（発明の目的）
そこで、本発明の目的は、黒板やホワイトボードの板面の背面側の空間を物品の収納空間として利用できるようにした筆写装置を提供することにある。
また、本発明の他の目的は、筆写装置に収納された物品を、盗難やいたずら等による破損による被害から防止できるようにした前記筆写装置を提供することにある。
更に、本発明の目的は、前記筆写装置を提供するにあたり使用する収納部構造体、該収納部構造体を用いた筆写装置の施工方法を提供することにある。
【課題を解決するための手段】
【００１２】
上記目的を達成するために講じた本発明の手段は次のとおりである。
（１）本発明は、繰り返し使用できる筆写用の板の背面側空間を物品の収納空間として利用できるようにした筆写装置であって、前記筆写装置は、直立型であるか又は壁面に設けるものであり、枠体で囲まれた内部に物品を収納する空間と、前面側に前記空間に物品を搬入又は搬出する開口部と、を有する収納部と、該収納部の前面側に、前記開口部を閉じるように配置されており、正面に筆写面を有する可動筆写部と、を備え、前記可動筆写部は、前記開口部を閉じる配置位置から離れることを可能とする要素によって前記収納部に取着されており、前記空間に物品を搬入又は搬出する際には、前記可動筆写部が前記収納部の前記開口部を閉じる位置から離れ、前記開口部を開く位置まで移動できるようにしたことを特徴とする、筆写装置である。
【００１３】
前記（１）の筆写装置によれば、可動筆写部が収納部の開口部を閉じた状態では、該収納部に納められた筆記用具等の物品が見えず、外見的にまとまりが良い。この状態では、筆写部を使用（筆記用具による筆写部への書き込み等を意味し、以下同じ意味で使用する。）することができる。一方、可動筆写部を収納部の開口部を閉じる位置から離し、開口部を開く位置まで移動させると、収納部が露出した状態となり、収納部の空間内への物品の搬入又は搬出が可能になる。再び閉じる場合には、可動筆写部により収納部の開口部を閉じる。
【００１４】
（２）本発明は、繰り返し使用できる筆写用の板の背面側空間を物品の収納空間として利用できるようにした筆写装置であって、前記筆写装置は、直立型であるか又は壁面に設けるものであり、枠体で囲まれた内部に物品を収納する空間と、前面側に前記空間に物品を搬入又は搬出する開口部と、を有する収納部と、該収納部の前面側に、前記開口部を閉じるように配置された可動筆写部と、を備え、前記可動筆写部は、正面に筆写面を有する板体と、該板体の背面に備えられている枠組みと、を備え、前記開口部を閉じる配置位置から離れることを可能とする、二つの要素の組合わせ含む掛止要素によって、前記収納部に取着されており、 前記可動筆写部の枠組みは、前記掛止要素の一方の要素を備え、前記収納部は、前記掛止要素の他方の要素を備え、前記収納部側の要素と前記可動筆写部側の要素が協働して前記収納部に前記可動筆写部を取着するようにしたことで、前記空間に物品を搬入又は搬出する際には、前記可動筆写部が前記収納部の前記開口部を閉じる位置から離れ、前記開口部を開く位置まで移動できるようにしたことを特徴とする、筆写装置である。
【００１５】
前記（２）の筆写装置によれば、可動筆写部が収納部の開口部を閉じた状態では、収納部側の掛止要素と可動筆写部側の掛止要素が協働して収納部に可動筆写部が取着され、該収納部に納められた筆記用具等の物品が見えず、外見的にまとまりが良い。この状態では、筆写部を使用することができる。
一方、各掛止要素を外して可動筆写部を収納部の開口部を閉じる位置から離し、開口部を開く位置まで移動させると、収納部が露出した状態となり、収納部の空間内への物品の搬入又は搬出が可能になる。再び閉じる場合には、各掛止要素を取着して可動筆写部により収納部の開口部を閉じる。
【００１６】
（３）本発明は、繰り返し使用できる筆写用の板の背面側空間を物品の収納空間として利用できるようにした筆写装置であって、前記筆写装置は、直立型であるか又は壁面に設けるものであり、枠体で囲まれた内部に物品を収納する空間と、前面側に前記空間に物品を搬入又は搬出する開口部と、を有する収納部と、該収納部の前面側に、前記開口部を閉じるように配置された可動筆写部と、を備え、 前記可動筆写部は、正面に筆写面を有する板体と、該板体の背面に備えられている枠組みと、を備え、該枠組みは枢軸によって収納部に取り付けられ、前記可動筆写部が前記枢軸を中心に回動できるものであり、前記空間に物品を搬入又は搬出する際には、前記可動筆写部が前記収納部の前記開口部を閉じる位置から離れ、前記開口部を開く位置まで移動できるようにしたことを特徴とする、筆写装置である。
【００１７】
前記（３）の筆写装置によれば、可動筆写部が収納部の開口部を閉じた状態では、該収納部に納められた筆記用具等の物品が見えず、外見的にまとまりが良い。この状態では、筆写部を使用することができる。
一方、可動筆写部を動かすと、枢軸を中心に回動して収納部の開口部を閉じる位置から離れ、開口部を開く位置まで移動し、収納部が露出した状態となり、収納部の空間内への物品の搬入又は搬出が可能になる。再び閉じる場合には、可動筆写部を動かして収納部の開口部が閉じる位置に戻す。
【００１８】
（４）前記（３）の筆写装置は、可動筆写部が枢軸を中心に上下に回動するにあたり、前記可動筆写部が開口部を閉じる配置位置から離れた状態に保持することを可能とする一又は二以上保持要素を備え、前記保持要素は、ダンパー、ガススプリング、折り曲げ可能なステー、つっかい棒の中から選択され、選択された前記保持要素が、ダンパー、ガススプリング又は折り曲げ可能なステーである場合は、前記保持要素の一方は可動筆写部の背面の枠組みに取り付けられ、前記保持要素の他方は前記収納部に取り付けられ、選択された前記保持要素がつっかい棒である場合は、その一方側は自由端となっており、他方側が可動筆写部の枠組み又は収納部のいずれかに可動可能に取り付けられるものであってもよい。
【００１９】
前記（４）の筆写装置によれば、前記（３）の筆写装置同様、可動筆写部が収納部の開口部を閉じた状態での外見がまとまり良く、この状態において筆写部を使用することができる。
一方、可動筆写部を上下に回動させると、枢軸を中心に回動して収納部の開口部を閉じる位置から離れ、開口部を開く位置まで移動し、収納部が露出した状態となり、収納部の空間内への物品の搬入又は搬出が可能になる。
このとき、保持要素がダンパー、ガススプリング、折り曲げ可能なステーのいずれかである場合は、可動筆写部を収納部の開口部を開く位置まで移動させる際に、可動筆写部が自重で閉まらないか又は緩やかに閉まる。また、保持要素がつっかい棒である場合は、可動筆写部を収納部の開口部を開く位置まで移動させた際に、自由端側をつっかいさせて可動筆写部を保持する。
再び閉じる場合には、保持要素を押し下げるか又は解除して、可動筆写部を動かして収納部の開口部が閉じる位置に戻す。
【００２０】
（５）本発明は、繰り返し使用できる筆写用の板の背面側空間を物品の収納空間として利用できるようにした筆写装置であって、前記筆写装置は、直立型であるか又は壁面に設けるものであり、枠体で囲まれた内部に物品を収納する空間と、前面側に前記空間に物品を搬入又は搬出する開口部と、を有する収納部と、該収納部の前面側に、前記開口部を閉じるように配置された可動筆写部と、を備え、前記可動筆写部は、正面に筆写面を有する板体と、該板体の背面に備えられている枠組みと、を備え、前記開口部を閉じる配置位置から離れることを可能とするスライド要素によって前記収納部に取着されており、前記スライド要素は、収納部に対して前記可動筆写部を上下又は左右に移動可能にするものであって、前記枠組みに前記スライド要素の一方が取り付けてあり、スライド要素の他方は前記収納部に取り付けてあり、前記空間に物品を搬入又は搬出する際には、前記可動筆写部が前記収納部の前記開口部を閉じる位置から離れ、前記開口部を開く位置まで移動できるようにしたことを特徴とする、筆写装置である。
【００２１】
前記（５）の筆写装置によれば、可動筆写部が収納部の開口部を閉じた状態では、該収納部に納められた筆記用具等の物品が見えず、外見的にまとまりが良い。この状態では、筆写部を使用することができる。
一方、可動筆写部をスライド要素により上下又は左右に動かすと、該可動筆写部は収納部の開口部を閉じる位置から離れ、開口部を開く位置まで移動し、収納部が露出した状態となり、収納部の空間内への物品の搬入又は搬出が可能になる。再び閉じる場合には、可動筆写部を動かして収納部の開口部が閉じる位置に戻す。
【００２２】
（６）本発明は、繰り返し使用できる筆写用の板の背面側空間を物品の収納空間として利用できるようにした筆写装置であって、前記筆写装置は、直立型であるか又は壁面に設けるものであり、枠体又は筺体で囲まれた内部の空間と、前記枠体又は筺体の上面、底面、左右側面のいずれかに設けられており、前記空間に物品を収納する引出要素を装備するための開口部と、を有する収納部と、前記開口部に装備される引出要素と、前記収納部の前面側に取り付けられ、正面に筆写面を有する筆写部と、を備えている、筆写装置である。
【００２３】
前記（６）の筆写装置によれば、引出要素が枠体又は筺体で囲まれた内部の空間内に納まった状態では、該収納部に納められた筆記用具等の物品が見えず、外見的にまとまりが良い。この状態では、筆写部を使用することができる。
一方、引出要素を収納部の空間内から引き出すと、引出要素へ物品を搬入又は搬出することができる。再び閉じる場合には、引出要素を収納部内の空間内へ入れると、収納部の開口部は閉じられる。なお、本筆写装置においては、物品を搬入時又は搬出時のいずれの状態においても、筆写部を使用することができる。
【００２４】
（７）前記（１）〜（６）のいずれかの筆写装置においては、収納部に設けられた物品を搬入又は搬出する開口部を閉じた状態に保つべく、開閉動作を制限する施錠装置が設けられているものであってもよい。
【００２５】
前記（７）の筆写装置は、管理者等の不在時に収納された物品の無断使用或いは盗難防止のため施錠し、授業時等においては解錠して使用する筆記用具等の物品を取り出す。
【００２６】
（８）本発明は、繰り返し使用できる筆写用の板の背面側空間を物品の収納空間として利用できるようにした前記（１）〜（６）のいずれか一に記載された筆写装置の収納部の構造であって、前記収納部の構造は、構造の異なる第１のパーツ要素と第２のパーツ要素の２種類の中から２つのパーツ要素を選択して組み合わせるものであり、前記第１のパーツ要素は、枠体又は筺体であって、該枠体又は筺体の内部が中空に構成され、前記第２のパーツ要素は、枠体又は筺体により形成された枠部材と、該枠部材の側壁に形成された開口部と、前記枠部材内に設けられた引出要素と、を有し、該引出要素は収納する物品の搬入又は搬出の際に前記開口部から枠部材外へ出し入れ可能に構成され、前記パーツ要素の組み合わせの態様は、第１のパーツ要素と第１のパーツ要素の組み合わせ、第１のパーツ要素と第２のパーツ要素の組み合わせ、又は、第２のパーツ要素と第２のパーツ要素の組み合わせ、のいずれかであることを特徴とする、筆写装置の収納部の構造である。
【００２７】
（９）本発明は、前記（８）の収納部の構造を備えた筆写装置の施工方法であって、筆写装置を設置する壁面へ収納部を据え付けるにあたって、第１のパーツ要素と第１のパーツ要素の組み合わせ、第１のパーツ要素と第２のパーツ要素の組み合わせ、又は、第２のパーツ要素と第２のパーツ要素の組み合わせ、のいずれかを選択し、選択されたパーツ要素を組み合わせてなる収納部を壁面に据え付け、据え付けられた収納部へ可動筆写部又は筆写部を取り付けることにより、前記（１）〜（７）のいずれかの筆写装置を設置できることを特徴とする、筆写装置の施工方法である。
【００２８】
前記（１）〜（７）のいずれかの筆写装置において、前記（８）の収納部の構造を備えていてもよい。
この場合、筆写装置を設置する壁面へ収納部構造体を据え付けるにあたって、第１のパーツ要素と第１のパーツ要素の組み合わせ、第１のパーツ要素と第２のパーツ要素の組み合わせ、又は、第２のパーツ要素と第２のパーツ要素の組み合わせ、のいずれかを選択する。なお、このパーツ要素の選択は、どのような態様の筆写装置（前記（１）〜（７）の筆写装置のいずれか）の設置を望むかによって変わる。
選択されたパーツ要素を組み合わせてなる収納部を壁面に据え付け、据え付けられた収納部へ筆写面を取り付け、必要に応じて他の要素（例えば、保持要素、スライド要素等）を付加することで、前記（１）〜（７）のいずれかの筆写装置が設置できる。
【００２９】
本明細書及び本願の特許請求の範囲にいう「筆写部」は、例えば、黒板、ホワイトボード、電子黒板が挙げられるが、これらに限定するものではなく、文字等を直接的に又は電子的に書き込むか表示できる他の公知部材又は公知手段であってもよい。
【００３０】
本明細書及び本願の特許請求の範囲にいう収納空間に収納される「物品」は、例えば、チョーク、マーカー、ペン、スタイラス（電子黒板のポインティングデバイス）、黒板拭きやイレーザー類などの筆記用具等、学校の授業等で使用される木製或いはプラスチック製の直線定規、三角定規、Ｔ型定規、分度器、コンパス、そろばん、マグネット等の各種文房具類、救急キットや防災頭巾等の防災用品等が挙げられるが、これに限定するものではなく、極論すれば収納部に収納が可能なものであればどのようなものであってもよい。
【００３１】
本明細書及び本願の特許請求の範囲において「保持要素」としては、ダンパー、ガススプリング、折り曲げ可能なステー、つっかい棒が挙げられるが、これに限定するものではなく、例えば、可動筆写部を収納部の開口部を開く位置まで移動させる際に可動筆写部が自重で閉まらないか又は緩やかに閉まるようにする他の公知部材又は公知手段を利用してもよいし、または、可動筆写部を収納部の開口部を開く位置まで移動させた際にその状態で可動筆写部を保持できる他の公知部材又は公知手段を利用してもよい。「折り曲げ可能なステー」としては、例えば、ソフトダウンステー、スローダウンステーと称されるものが好適に使用される。
【００３２】
本明細書及び本願の特許請求の範囲において「スライド要素」としては、例えばスライドレールが挙げられるが、これに限定するものではなく、例えば、スライド要素の一方としてレールが取り付けられ、スライド要素の他方として戸車が取り付けてあるような構造等の他の公知部材又は公知手段であってもよい。
【発明の効果】
【００３３】
本発明によれば、授業等で使用する筆記用具等の物品を筆写部背面側の収納空間に収納することができ、外観上まとまりの良い筆写装置を提供することができる。
更に、前記筆写装置に施錠装置を備えたものは、管理者等の不在時における収納された物品の無断使用或いは盗難防止効果が期待できる。また、物品が筆記用具類であれば、前記効果により、授業等の都度に筆記用具類を職員室等の保管場所から教室等へ運搬する煩雑さを解消できる。
【００３４】
また、筆写装置が前記（８）の収納部の構造を備えている場合は、２つのパーツ要素を組み合わせるだけで異なる収納部を構成することができるので、設置作業が簡便であり、また、収納部に係るパーツ要素の縦又は横方向の長さが完成した状態の収納部の半分であるので、パーツ要素の保管スペースが少なくて済み、運搬もしやすい。更に、設置場所の状況或いは顧客の希望に応じて、その場でフレキシブルにパーツ要素を組み合わせて施工することができる。
【図面の簡単な説明】
【００３５】
【図１】本発明の第１実施形態である筆記ボード装置において、筆記ボード部と収納部が分離した状態を示す平面視説明図（ａ）、筆記ボード部を外した状態の収納部の正面図（ｂ）及び筆記ボード部を収納部に取着する方法を示す側面視説明図（ｃ）。
【図２】本発明の第１実施形態である筆記ボード装置において、収納部が閉じた状態を示す正面図（ａ）及び側面視説明図（ｂ）。
【図３】本発明の第２実施形態である筆記ボード装置において、収納部が閉じた状態を示す正面図（ａ）及び側面視説明図（ｂ）。
【図４】本発明の第２実施形態である筆記ボード装置において、収納部が開いた状態を示す正面図（ａ）及び側面視説明図（ｂ）。
【図５】本発明の第３実施形態である筆記ボード装置において、収納部が閉じた状態を示す正面図（ａ）及び側面視説明図（ｂ）。
【図６】本発明の第３実施形態である筆記ボード装置において、収納部が開いた状態を示す正面図（ａ）及び側面視説明図（ｂ）。
【図７】本発明の第４実施形態である筆記ボード装置において、収納部が開いた状態を示す、平面視説明図（ａ）、側面視説明図（ｂ）及び正面視説明図（ｃ）。
【図８】本発明の第４実施形態である筆記ボード装置において、外枠体及び収納部の各種構成（ａ），（ｂ）及び（ｃ）を示す正面図。
【図９】本発明の収納部構造体の各種構成（ａ），（ｂ），（ｃ）及び（ｄ）を示す正面図。
【発明を実施するための形態】
【００３６】
本発明の実施の形態を図面に基づき更に詳細に説明する。
なお、以下の各実施の形態において、筆記ボード装置は前記筆写装置と、筆記ボード部は前記筆写部と、筆記面は前記筆写面と、取着部材は前記掛止要素と、ガススプリングは前記保持要素と、外枠体は前記引出要素を装備するための開口部を備えた収納部と、出入口は前記収納部内に引出要素を装備するための開口部と、第４実施形態における収納部は前記引出要素と、収納部構造体は前記（８）の収納部の構造と、第１フレームは第１のパーツ要素と、第２フレームは第２のパーツ要素と、それぞれ対応する用語として使用している。
【００３７】
〔第１実施形態〕
図１及び図２を参照して、本発明の第１実施形態である筆記ボード装置１について説明する。筆記ボード装置１は、着脱可能に形成された筆記ボード部１１０を外すことで収納部の収納空間が露出する（収納部が開く）ように設けられたものである。
【００３８】
筆記ボード装置１は、筆記ボード部１１０と収納部１２０を備えている。
筆記ボード部１１０は、例えば緩やかに湾曲した凹曲面を有する板状体であって、前面側に筆記面１１１を有している（図１（ａ）参照）。
【００３９】
筆記ボード部１１０背部の上辺部１１２には、取着部材１３０が複数（本実施形態では５つ）設けられており、各取着部材１３０は所要間隔を空けて（本実施形態ではほぼ等間隔で）配置されている（図１（ａ）及び（ｂ）を参照）。
【００４０】
各取着部材１３０は、Ｌ型アングル状の部材であって、筆記ボード部１１０背部側（即ち、筆記面１１１と反対側の収納部１２０側）へ水平方向に所要幅突き出たスペーサー部１３１と、スペーサー部１３１先端から下方へ向けて直角に折れ曲がった嵌入部１３２と、を備えている。スペーサー部１３１は、その基端側が筆記ボード部１１０の上辺部１１２上面と面一又はほぼ面一になるように取着されている（図１（ｃ）を参照）。
【００４１】
同様に、筆記ボード部１１０の背部の下辺部１１３には、取着部材１４０が複数設けられ、各取着部材１４０は所要間隔を空けて配置されている（各取着部材１４０の配列を示す図は省略）。
【００４２】
各取着部材１４０は、略溝形鋼状の部材であって、筆記ボード部１１０背部側（即ち、筆記面１１１と反対側）へ水平方向に所要幅突き出たスペーサー部１４１と、スペーサー部１４１先端側から下方へ向けて直角に折れ曲がった嵌入部１４２と、スペーサー部１４１基端側から下方へ向けて直角に折れ曲がり更に嵌入部１４２と反対側（即ち、筆記面１１１側）へ直角に折れ曲がった取付部１４３と、を備えている（図１（ｃ）を参照）。
各取着部材１４０は、取付部１４３が、筆記ボード部１１０の下辺部１１３を受けるように取着されている（図１（ｃ）及び図２（ｂ）を参照）。
【００４３】
収納部１２０は、正面側が開口し上下左右及び背部が閉じられた筺状体に形成されており、該開口部内の空間（以下、該空間を「収納空間１２１」という。）に筆記用具類が収納できる。
なお、本実施形態においては、収納部１２０は、その背部が室内（例えば、各種学校の教壇側）の壁面に据え付けられている。
また、本実施形態においては、収納部は筺状体に形成されているが、収納部の背部も開口した枠状体であってもよく、この場合、上下左右の枠の一部又は全部が室内の壁面に据え付けられることとなる。
【００４４】
収納部１２０正面側の上辺部１２２には、前記取着部材１３０の嵌入部１３２を嵌入させるための上部嵌入孔１２３が、取着部材１３１に対応する数（本実施形態では５つ）及び位置に設けられている（図１（ｂ）及び（ｃ）を参照）。
【００４５】
同様に、筆記ボード部１１０背部側の下辺部１２４には、前記取着部材１４０の嵌入部１４２を嵌入させるための下部嵌入孔１２５が、取着部材１４０に対応する数（本実施形態では５つ）及び位置に設けられている（図１（ｂ）及び（ｃ）を参照）。
【００４６】
本実施形態においては、筆記ボード部１１０と収納部１２０の寸法は正面視で高さ及び幅が同じか又はほぼ同等であり、筆記ボード部１１０を掛止して閉じた状態では筆記ボード部１１０により収納部１２０の開口部及び収納空間１２１が完全に隠れるように（閉じられる又は掩蔽されるように）構成されているが、これに限定するものではなく、例えば筆記ボード部よりも収納部が小さい寸法であってもよいし、筆記ボード部よりも収納部が大きい寸法であって、筆記ボード部により掩蔽されない部分は飾り棚等として利用し、掩蔽された部分は隠して収納したい筆記用具類を収納するように構成することもできる。
【００４７】
なお、収納部１２０内の収納空間１２１は、間仕切りや棚、ポケットや引き出しを設けて、収納性を向上させてもよく、筆記用具類のほかに授業で配布する印刷物等を保管してもよい。
また、本実施形態では、取着部材としてＬ型アングル状の部材等を採用しているが、これに限定するものではなく、例えば、いわゆるパッチン錠等の公知の着脱手段又は着脱部材を利用してもよい。
【００４８】
（作  用）
図１及び図２を参照して、筆記ボード装置１の作用を説明する。
〔閉鎖時〕
図２（ａ）及び（ｂ）は、筆記ボード部１１０を閉じた状態を示している。
壁面に据え付けられた収納部１２０へ取り付けた筆記ボード部１１０によって、収納部１２０の開口部及び収納空間１２１が閉じられて（掩蔽されて）おり、該収納部１２０に納められた筆記用具類が見えず、外見的にまとまりが良い。この状態では、筆記ボード部１１０を使用（筆記用具による筆記ボード１１１への書き込み）することができる。
【００４９】
〔開放時〕
図２（ａ）及び（ｂ）の状態の筆記ボード部１１０を持ち上げながら、上部嵌入孔１２３及び下部嵌入孔１２５へ嵌入している嵌入部１３２及び嵌入部１４２をそれぞれ引き抜いて、正面側（即ち、収納部１２０の反対側）に外すと、図１（ａ）及び（ｃ）の筆記ボード部１１０を収納部１２０から取り外した状態となる。これにより、収納部１２０の開口部及び収納空間１２１が露出し（図１（ｂ）の状態）、収納空間１２１内へ筆記用具類の出し入れが可能になる。
【００５０】
再び筆記ボード部１１０を閉じる場合には、図１（ｃ）に示す矢印のように、筆記ボード部１１０を収納部１２０に取り付ける。
このとき、上部嵌入孔１２３及び下部嵌入孔１２５へ嵌入部１３２及び嵌入部１４２が嵌入して引っ掛かるので、筆記ボード部１１０が収納部１２０に掛着されて正面方向へ脱落しないか又は脱落しにくくなり、筆記ボード部１１０の荷重は、スペーサー部１３１及びスペーサー部１４１と、各スペーサー部に当接する収納部１２０の上辺部１２２及び下辺部１２４で支持される。
【００５１】
〔第２実施形態〕
図３及び図４を参照して、本発明の第２実施形態である筆記ボード装置２について説明する。筆記ボード装置２は、筆記ボード部が動いて掩蔽された収納部が露出する（閉じた収納部が開く）ように設けられているものである。
【００５２】
筆記ボード装置２は、筆記ボード部２１０と収納部２２０を備えている。
筆記ボード部２１０は、例えば緩やかに湾曲した凹曲面を有する板状体であって、正面側に筆記面２１１を有しており、後述する収納部２２０に対する開き戸を兼ねるものである。
収納部２２０は、正面側が開口し上下左右が閉じられた筺状体に形成されており、該開口部内の空間（以下、該空間を「収納空間２２１」という。）に筆記用具類が収納できる。
なお、本実施形態において、収納部２２０は、第１実施形態と同様に、その背部が室内の壁面に取り付けられており、また、収納部は枠状体であってもよい。
【００５３】
筆記ボード部２１０の左右両方の側面上部に一対のブラケット状の取着体２３０が設けられており、各取着体２３０は収納部２２０の左右両方の側面上部に軸着され、該軸着部分２３１を中心に筆記ボード部２１０が持ち上がって上下に回動するように設けられている。
また、筆記ボード部２１０の背面側と収納部２２０の壁面との間にはガススプリング２４０が取着されており、正面視で左右両側へそれぞれ１本ずつ（合計２本）設けられている。
【００５４】
本実施形態においては、筆記ボード部２１０と収納部２２０の寸法は正面視で高さ及び幅が同じか又はほぼ同等であり、筆記ボード部２１０を閉じた状態では筆記ボード部２１０により収納部２２０が完全に隠れるように（閉じられる又は掩蔽されるように）構成されているが、これに限定するものではなく、例えば筆記ボード部よりも収納部が小さい寸法であってもよいし、筆記ボード部よりも収納部が大きい寸法であって、筆記ボード部により掩蔽されない部分は飾り棚等として利用し、掩蔽された部分は隠して収納したい筆記用具類を収納するように構成することもできる。
【００５５】
なお、収納部２２０内の収納空間２２１は、間仕切りや棚、ポケットや引き出しを設けて、収納性を向上させてもよく、筆記用具類のほかに授業で配布する印刷物等を保管してもよい。
また、ガススプリングに代えて、つっかい棒等の筆記ボードを支持可能な公知部材又は公知手段を利用してもよい。
【００５６】
（作  用）
図３及び図４を参照して、筆記ボード装置２の作用を説明する。
〔閉鎖時〕
図３に示すように筆記ボード部２１０を閉じた状態においては、筆記ボード部２１０により収納部２２０が閉じられて（掩蔽されて）おり、該収納部２２０に納められた筆記用具類が見えず、外見的にまとまりが良い。この状態では、筆記ボード部２１０を使用（筆記用具による筆記ボード２１１への書き込み）することができる。
【００５７】
〔開放時〕
図４に示すように筆記ボード部２１０を上方（図中の矢印の方向）に持ち上げることにより、収納部２２０が露出し（開き）、筆記用具類の出し入れが可能になる。このとき、筆記ボード部２１０と収納部２２０の間に取着されたガススプリング２４０が伸長して筆記ボード部２１０を支持し、利用者の手等が挟まれないよう安全性を確保する。
【００５８】
〔第３実施形態〕
図５及び図６を参照して、本発明の第３実施形態である筆記ボード装置３について説明する。筆記ボード装置３は、筆記ボード部が動いて掩蔽された収納部が露出する（閉じた収納部が開く）ように設けられているものの他の態様である。
【００５９】
筆記ボード装置３は、筆記ボード部３１０と収納部３２０を備えている。
筆記ボード部３１０は、例えば緩やかに湾曲した凹曲面を有する板状体であって、正面側に筆記面３１１を有しており、後述する収納部３２０に対する引き戸を兼ねるものである。
収納部３２０は、正面側が開口し上下左右が閉じられた筺状体に形成されており、該開口部内の空間（以下、該空間を「収納空間３２１」という。）に筆記用具類が収納できる。
なお、本実施形態において、収納部３２０は、第１実施形態と同様に、その背部が室内の壁面に取り付けられており、また、収納部は枠状体であってもよい。
【００６０】
筆記ボード部３１０と収納部３２０は、左右両方の側面に設けられたスライドレール（図示及び符号省略）により嵌着されており、該スライドレールに沿って筆記ボード部３１０が上下にスライドするように構成されている。
なお、スライドレールには、安全のためのスライドストッパーや、軽い力での上下動を可能とすべくバランサーを設けることが好適である。
【００６１】
本実施形態においても、筆記ボード部３１０と収納部３２０の寸法は正面視で高さ及び幅が同じか又はほぼ同等であり、筆記ボード部３１０を閉じた状態では筆記ボード部３１０により収納部３２０が完全に隠れるように（閉じられる又は掩蔽されるように）構成されているが、第２実施形態と同様に、筆記ボード部よりも収納部が小さい寸法であってもよいし、筆記ボード部よりも収納部が大きい寸法とすることもできる。また、収納部３２０内の収納空間３２１も、間仕切りや棚、ポケットや引き出しを設けて、収納性を向上させることもできる。
【００６２】
本実施形態においては筆記ボード部のスライド方向は上方であるが、下方にスライドするように設けてもよい。
【００６３】
（作  用）
図５及び図６を参照して、筆記ボード装置３の作用を説明する。
〔閉鎖時〕
図５に示すように筆記ボード部３１０を閉じた状態においては、筆記ボード部３１０により収納部３２０が閉じられて（掩蔽されて）おり、該収納部３２０に納められた筆記用具類が見えず、外見的にまとまりが良い。この状態では、筆記ボード部３１０を使用（筆記用具による筆記ボードへの書き込み）することができる。
【００６４】
〔開放時〕
図６に示すように筆記ボード部３１０を上方（図中の矢印の方向）にスライドさせて持ち上げることにより、収納部３２０が開き（露出し）、筆記用具類の出し入れが可能になる。なお、スライドレールにスライドストッパーが設けられていれば利用者の手等が挟まれないよう安全性が確保され、バランサーが設けられていれば軽い力で上下にスライドさせることができる。
【００６５】
〔第４実施形態〕
図７及び図８を参照して、本発明の第４実施形態である筆記ボード装置４について説明する。筆記ボード装置４は、筆記ボード部４０内部のスライド可能に設けられた収納部（引出要素）が動いて収納部が露出するように設けられたものである。
【００６６】
筆記ボード装置４は、筆記ボード部４０と収納部４２０を備えている。
筆記ボード部４０は、例えば緩やかに湾曲した凹曲面を有する板体である筆記ボード体４１０と、筺状の外枠体４１２を備えている。
筆記ボード体４１０は、正面側に筆記面４１１を有している。
【００６７】
外枠体４１２は、正面側が開口し上下及び一の側面（図７においては左側面）が閉じられた筺状体に形成されており、他の側面（図７においては右側面）が開口している。該右側面の開口部は、収納部４２０の出入口４１３を構成している。本実施形態において、外枠体４１２は、第１実施形態と同様に、その背部が室内の壁面に取り付けられている（図７（ｂ）を参照）。
【００６８】
なお、筆記ボード体４１０と外枠体４１２は、取着部材４３０，４３１を介して着脱可能に設けられているが、該着脱の構造は、第１実施形態における筆記ボード装置１の筆記ボード部１１０と収納部１２０との着脱構造と同様であるため、説明は省略する。
【００６９】
収納部４２０は、正面側が開口し上下左右が閉じられた筺体に形成されており、該開口部内の空間（以下、該空間を「収納空間４２１」という。）に筆記用具類が収納できるように設けられている。
また、収納部４２０は、外枠体４１２内に納まるように、外枠体４１２よりも上下左右に小さく厚みが薄い寸法に形成されており、収納部４２０を外枠体４１２内へ納めると筆記ボード部４０によって収納部が外部から掩蔽された状態となるよう構成されている。
【００７０】
更に、収納部４２０は、外枠体４１２に形成された出入口４１３を通じて出し入れ可能に（即ち、収納部４２０自体が引き出しのように動いて収納部４２０が露出するように）形成されており、外枠体４１２と収納部４２０の両方又はいずれか一方に設けられたスライド部材（図示及び符号省略）により左右にスライドして出入口４１３から出し入れ（引き出し）可能に設けられている。
なお、収納部４２０内の収納空間４２１には、間仕切りや棚、ポケットや引き出しを設けて、収納性を向上させることもできる。
【００７１】
図８は、筆記ボード装置４における収納部の各種構成（ａ）〜（ｃ）を説明すべく、筆記ボード体４１０を取り外した状態で示しており、本実施形態における収納部４２０は図８（ａ）において示している。
しかし、収納部の態様は前記のものに限定するものではなく、図８（ｂ）に示すように収納部４２０’が左側に配置されていてもよいし、図８（ｃ）に示すように収納部４２０”が左右両側に配置されていてもよい。
なお、図８（ｂ）の配置の場合は、前記出入口４１３’は外枠体４１２’の左側面に形成されることとなり、図８（ｃ）の配置の場合は、前記出入口４１３”は外枠体４１２”の両側面に形成されることとなる。
【００７２】
（作  用）
図７及び図８を参照して、筆記ボード装置４の作用を説明する。
〔閉鎖時〕
本実施形態において閉鎖状態とは、筆記ボード部４１０の外枠体４１２内に収納部４２０が収納された状態をいい、該状態において収納部４２０は筆記ボード部４１０により掩蔽され、該収納部４２０に納められた筆記用具類が見えず、外見的にまとまりが良い。
【００７３】
〔開放時〕
図７（ａ）に示すように、外枠体４１２内から収納部４２０を左側（図中の矢印の方向）にスライドさせて引き出すことにより、収納部４２０が露出し、筆記用具類の出し入れが可能になる（図７（ｃ）を参照）。
【００７４】
また、図８（ｂ）及び（ｃ）に示すような収納部の構成の場合、各収納部の配置に応じた方向から収納部４２０’あるいは収納部４２０”が露出し、筆記用具類の出し入れが可能になる。
【００７５】
本実施形態においては、閉鎖時及び開放時のいずれの状態においても、筆記ボード部４１０を使用（筆記用具による筆記面４１１への書き込み）することができる。
【００７６】
〔第１〜第４実施形態の筆記ボード装置に施錠装置が設けられたもの〕
なお、図示を省略するが、前記の第１〜第４実施形態の筆記ボード装置の所要箇所に、掩蔽された収納部が露出しないように筆記ボード部の開閉動作を制限する施錠装置を設けることが好適である。
該施錠装置により収納部に納めた筆記用具類の盗難防止効果が期待できるので、例えば、授業で使用する筆記用具類を次の授業まで教室にそのまま置きっぱなしにすることができ、授業の都度職員室から運搬する煩雑さを解消できる等の効果が期待できる。また、授業時間外における生徒の悪ふざけによる筆記用具類の使用、それに伴う破損等の防止も期待できる。
【００７７】
〔第１〜第４実施形態の筆記ボード装置における収納部を構成するための収納部構造体〕
既に説明した第１〜第３実施形態の筆記ボード装置における収納部及び第４実施形態の筆記ボード装置における外枠体は一体型であるが、これら収納部及び外枠体は、中央から分割された２つのフレームを組み合わせてなる収納部構造体を用いて構成しても良く、このような収納部構造体の態様を図９に示す。
【００７８】
図９（ａ）〜（ｄ）を参照する。
収納部構造体５ａ，５ｂ，５ｃ，５ｄは、第１フレーム５１と、第２フレーム５２の２種類を任意に組み合わせてなるものであって、組み合わせの態様は、第１フレーム５１のみの組み合わせ（図９（ａ）に示す符号５ａ）、第１フレーム５１と第２フレーム５２の組み合わせ（図９（ｂ）に示す符号５ｂ、図９（ｃ）に示す符号５ｃ）、又は、第２フレーム５２のみの組み合わせ（図９（ｄ）に示す符号５ｄ）、のいずれかとなる。
【００７９】
なお、図９（ｂ）に示す収納部構造体５ｂと、図９（ｃ）に示す収納部構造体５ｃは、第１フレーム５１と第２フレーム５２の組み合わせにおいて、単に左右の配置が異なるものである。
図９（ａ）〜（ｄ）に示す収納部構造体５ａ，５ｂ，５ｃ，５ｄの中央部の線は、左右に位置した各フレームが当接した部分を示すものである。
【００８０】
第１フレーム５１は、背面板５１４と、背面板５１４に対して正面側へ立ち上がるように設けられた上枠５１１及び下枠５１２と、左右のいずれかの側面枠５１３と、を備えている。即ち、第１フレーム５１は、正面側と、枠がない左右のいずれかの一方側が開口して設けられている。
【００８１】
なお、本実施形態においては、単一形状の（左右対称の）フレームを生産し、２つのフレームの枠がない側部同士が相対する（即ち側部の開口部同士が繋がる）ように組み合わせて使用する態様であるが、右に枠を有するものと左に枠を有するもの（左右非対称）を一対のフレームとして生産し、これら二種を組み合わせて使用する態様を除外するものではない。
【００８２】
また、本実施形態においては、第１フレーム５１は、前記形状に形成されているが、これに限定するものではなく、例えば、左右のいずれにも枠を有する（即ち、正面のみが開口した）筺状体であってもよいし、背部が開口した（例えば、背面板がなく、正面視ロ又はコの文字状の）枠状体であってもよい。
【００８３】
第２フレーム５２は、背面板５２４と、背面板５２４に対して正面側へ立ち上がるように設けられた上枠５２１及び下枠５２２と、収納部５２５と、を備えている。
即ち、第２フレーム５２は、正面側と、枠がない左右のいずれもが開口して設けられており、
左右のいずれかの側方の開口部が収納部５２５の出入口５２６を構成し、他方の側方の開口部は他のフレームの開口部へ相対させ組み合わせて使用できるよう構成されている。
【００８４】
収納部５２５は、第２フレーム５２内に収納されており、スライドして出入口５２６から第２フレーム５２外へ出し入れ可能に設けられている。
なお、本実施形態においては、第２フレーム５２は、前記の構造に形成されているが、これに限定するものではなく、例えば、収納部の背部が開口した（例えば、背面板の一部又は全部がない）枠状体であってもよい。
【００８５】
（作  用）
教場等の壁面に、前記２つのフレームを組み合わせてなる収納部構造体を用いて収納部を構成して据え付け、前記第１〜第４実施形態のいずれかの筆記ボード装置を施工することができる。
【００８６】
この場合、筆記ボード装置を設置する壁面へ収納部構造体５ａ〜５ｄのいずれかを据え付けるにあたっては、どのような態様の筆記ボード装置の設置を望むかによって、以下のようにフレームの選択が変わる。
【００８７】
筆記ボード装置１〜３を設置する場合は、例えば第１フレーム５１のみの組み合わせを選択し、組み合わせられた各第１フレーム５１により図９（ａ）に示す収納部構造体５ａが形成され、該収納部構造体５ａは第１〜３実施形態で説明した収納部１２０，２２０又は３２０と同様の構造となり、第１フレーム５１により囲まれた空間は収納空間１２１、２２１又は３２１となる。
【００８８】
また、筆記ボード装置４を設置する場合は、第１フレーム５１と第２フレーム５２の組み合わせを選択し、組み合わせられた第１フレーム５１と第２フレーム５２により図９（ｂ）（または（ｃ））に示す収納部構造体５ｂ（または５（ｃ））が形成され、該収納部構造体５ｂ（または５（ｃ））は第４実施形態で説明した筆記ボード体４１０の外枠体４１２と同様の構造となる。
【００８９】
なお、前記の筆記ボード装置４の設置において、第２フレーム５２のみの組み合わせを選択し、組み合わせられた各第２フレーム５２により図９（ｄ）に示す収納部構造体５ｄが形成され、該収納部構造体５ｄにより、左右両側から収納部を引き出すことができる構造の筆記ボード装置（図示省略）を設置することもできる。
【００９０】
前記のように、選択されたフレームを組み合わせてなる収納部構造体５ａ〜５ｄのいずれかを壁面に据え付け、据え付けられた収納部構造体５ａ〜５ｄのいずれかへ筆記ボード部を取り付ければ、前記第１〜第４実施形態のいずれかの筆記ボード装置が設置できる。
【００９１】
このように、収納部構造体を用いて収納部及び外枠体を構成する場合は、２つのフレームを組み合わせるだけで異なる収納部及び外枠体を構成することができるので、設置作業が簡便であり、また、収納部構造体の横方向の長さが完成した収納部の半分であるので、フレームの保管スペースが少なくて済み、運搬もしやすい。更に、設置場所の状況或いは顧客の希望に応じて、その場でフレキシブルにフレームを組み合わせることができる。
【００９２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００９３】
１    筆記ボード装置
１１０    筆記ボード部
１１１    筆記面
１１２    上辺部
１１３    下辺部
１２０    収納部
１２１    収納空間
１２２    上辺部
１２３    上部嵌入孔
１２４    下辺部
１２５    下部嵌入孔
１３０    取着部材
１３１    スペーサー部
１３２    嵌入部
１４０    取着部材
１４１    スペーサー部
１４２    嵌入部
１４３    取付部
２    筆記ボード装置
２１０    筆記ボード部
２１１    筆記面
２２０    収納部
２２１    収納空間
２３０    取着体
２３１    軸着部分
２４０    ガススプリング
３    筆記ボード装置
３１０    筆記ボード部
３１１    筆記面
３２０    収納部
３２１    収納空間
４    筆記ボード装置
４０    筆記ボード部
４１０    筆記ボード体
４１１    筆記面
４１２    外枠体
４１３    出入口
４２０，４２０’，４２０”    収納部
４２１，４２１’，４２１”    収納空間
４３０，４３１    取着部材
５ａ，５ｂ，５ｃ，５ｄ    収納部構造体
５１    第１フレーム
５１１    上枠
５１２    下枠
５１３    側面枠
５１４    背面板
５２    第２フレーム
５２１    上枠
５２２    下枠
５２４    背面板
５２５    収納部
５２６    出入口
【図１】
2013049241.tif 000003
【図２】
2013049241.tif 000004
【図３】
2013049241.tif 000005
【図４】
2013049241.tif 000006
【図５】
2013049241.tif 000007
【図６】
2013049241.tif 000008
【図７】
2013049241.tif 000009
【図８】
2013049241.tif 000010
【図９】
2013049241.tif 000011